(57)【要約】  本発明は、半径ｒ１の複数の金属モノフィラメントと複数のワイヤガイドを含むワイヤ−ガイドブロックとを含むアセンブリに関し、各ワイヤガイドは、センタリング軸線に沿って半径ｒ１の金属モノフィラメントを中心化するように構成されたセンタリング部分を含み、センタリング部分は、直円柱であり、その母線は、センタリング軸線と平行であり、その準線は、１．０５*ｒ１よりも大きいか又はそれに等しくかつ１．２*ｒ１よりも小さいか又はそれに等しい半径ｒ２の内接円を有する凸多角形である。【選択図】図１
2021506624.tif 000002
【特許請求の範囲】
【請求項１】
アセンブリであって、
半径ｒ１の複数の金属モノフィラメントと、
センタリング軸線に沿って半径ｒ１の金属モノフィラメントを中心化するように構成されたセンタリング部分を各ワイヤガイドが含む複数のワイヤガイドを含むワイヤ−ガイドブロックと、を備え、
前記センタリング部分は、直円柱であり、その母線が、前記センタリング軸線と平行であり、その準線が、１．０５*ｒ１よりも大きいか又はそれに等しくかつ１．２*ｒ１よりも小さいか又はそれに等しい半径ｒ２の内接円を有する凸多角形である、
ことを特徴とするアセンブリ。
【請求項２】
ｒ２が、１．１*ｒ１よりも大きいか又はそれに等しい、
請求項１に記載のアセンブリ。
【請求項３】
ｒ２が、１．１５*ｒ１よりも小さいか又はそれに等しい、
請求項１または２に記載のアセンブリ。
【請求項４】
ポリマー性シース被覆組成物を前記センタリング部分の出口まで搬送するように構成された供給チャネルを有する、
請求項１ないし３のいずれか１項に記載のアセンブリ。
【請求項５】
前記ポリマー性シース被覆組成物を前記センタリング部分の前記出口まで搬送するように構成された第１及び第２の供給チャネルを含み、
前記第１の供給チャネル及び前記第２の供給チャネルは、前記センタリング部分のいずれかの側に配置される、
請求項４に記載のアセンブリ。
【請求項６】
前記センタリング部分の前記センタリング軸線は、同じ平面Ｐにあり、かつ互いに実質的に平行である、
請求項１ないし５のいずれか１項に記載のアセンブリ。
【請求項７】
各ワイヤガイドの前記センタリング部分は、同一である、
請求項１ないし６のいずれか１項に記載のアセンブリ。
【請求項８】
各ワイヤガイドが、請求項４に記載の特徴を有し、
ポリマー組成物を供給するための前記チャネルは、それが前記センタリング部分の前記出口で前記複数の金属モノフィラメントを集合的に被覆するように配置される、
請求項６又は７に記載のアセンブリ。
【請求項９】
各ワイヤガイドが、請求項５に記載の特徴を有し、
前記ポリマー組成物を供給するための前記第１及び前記第２のチャネルは、それらが前記センタリング部分の前記出口で前記複数の金属モノフィラメントを集合的に被覆するように配置される、
請求項６又は７に記載のアセンブリ。
【請求項１０】
各センタリング軸線が、各他のセンタリング軸線から２．１*ｒ１よりも大きいか又はそれに等しい距離に位置し、
各センタリング軸線は、少なくとも１つの他のセンタリング軸線から２．５*ｒ１よりも小さいか又はそれに等しい距離に位置する、
請求項１ないし９のいずれか１項に記載のアセンブリ。
【請求項１１】
複数の金属モノフィラメントを中心化する方法であって、
少なくとも、
半径ｒ１の複数の金属モノフィラメントとワイヤ−ガイドブロックとを含む請求項１から請求項１０のいずれか１項に記載のアセンブリを供給する段階、及び
前記ワイヤ−ガイドブロックの各ワイヤガイドを通して各金属モノフィラメントを中心化する段階、を含む、
ことを特徴とする方法。
【請求項１２】
複数のシース被覆金属モノフィラメントを生成する方法であって、
請求項１１に記載の複数の金属モノフィラメントを中心化する方法と、
次に、前記複数の金属モノフィラメントのうちの各金属モノフィラメントをポリマー組成物で被覆する段階と、を含む、
ことを特徴とする方法。
【請求項１３】
前記被覆する段階は、前記複数の金属モノフィラメントを前記ポリマーコーティングで集合的に被覆する段階である、
請求項１２に記載の生成方法。
【請求項１４】
押出成形によって補強製品を生成する方法であって、
請求項１２又は１３に記載の生成方法の前記段階を含み、
各金属モノフィラメントを前記ポリマー組成物で被覆する前記段階の後に、各シース被覆金属モノフィラメントをエラストマー母材に埋め込む段階を含む、
ことを特徴とする方法。
【請求項１５】
半径ｒ１の複数の金属モノフィラメントを中心化するためのワイヤ−ガイドブロックであって、センタリング軸線に沿って該金属モノフィラメントのうちの１つを中心化するように構成されたセンタリング部分を各ワイヤガイドが含む複数のワイヤガイドを含む前記ワイヤ−ガイドブロックの使用であって、
前記センタリング部分は、直円柱であり、その母線が、前記センタリング軸線と平行であり、その準線が、１．０５*ｒ１よりも大きいか又はそれに等しくかつ１．２*ｒ１よりも小さいか又はそれに等しい半径ｒ２の内接円を有する凸多角形である、
ことを特徴とする使用。
【発明の詳細な説明】
【技術分野】
【０００１】
本発明の分野は、ワイヤガイドとタイヤのためのシース被覆補強要素を生成するためにそのようなワイヤガイドを実施する方法との分野である。
【０００２】
本発明は、複数の金属モノフィラメントと複数のワイヤガイドを含むワイヤ−ガイドブロックとを含むアセンブリ、ワイヤ−ガイドブロックを通して複数の金属モノフィラメントを中心化する方法、複数のシース被覆金属モノフィラメントを生成する方法、本発明による複数のシース被覆金属モノフィラメントを生成する方法の段階を含む押出成形によって補強製品を生成する方法、及び複数の金属モノフィラメントを中心化するためのワイヤ−ガイドブロックの使用に関する。
【背景技術】
【０００３】
金属モノフィラメントからのタイヤのためのシース被覆補強要素の製造に関し、公知のシース被覆方法は、例えばＷＯ２０１５０１４７７６に説明されているような金属モノフィラメントの周りにシースを押出成形するためのダイの中にワイヤを通すシース被覆段階と共に、金属モノフィラメントをワイヤガイドの中に通す誘導段階を含む。
【０００４】
金属モノフィラメントがワイヤガイド内で移動する時に、ワイヤガイドによって金属モノフィラメントの面上に作用される摩擦力は、金属モノフィラメントの面の摩耗をもたらす。この摩耗は、移動速度が高いほどより顕著である。
【０００５】
これに加えて、金属モノフィラメントは、例えば鋼鉄から作られたコアと、コアよりは硬くない金属コーティングの層とを含む可能性がある。コーティングは、従って、特に摩耗を受けやすい。そのようなコーティングは、一般的に、金属モノフィラメントの引き抜きのための潤滑剤として、かつ補強要素のエラストマー母材との接着性界面の前駆体として作用する機能を有する。
【０００６】
摩耗によって剥離した材料は、蓄積して最終的にワイヤガイドを詰まらせ、金属モノフィラメントの破断を引き起こす可能性がある。
【０００７】
これに加えて、各破断は、シース被覆補強要素の生成の中断を必要とする。
【０００８】
生成を最適化するために、金属モノフィラメントの破断のリスクを制限しながら可能な限り高い移動速度を維持することが望ましい。
【先行技術文献】
【特許文献】
【０００９】
【特許文献１】ＷＯ２０１５/０１４７７６
【発明の概要】
【発明が解決しようとする課題】
【００１０】
本発明の１つの目標は、金属モノフィラメントの破断のリスクを制限することを可能にするワイヤガイドを提案することである。
【課題を解決するための手段】
【００１１】
この目的に対して、半径ｒ１の複数の金属モノフィラメントと複数のワイヤガイドを含むワイヤ−ガイドブロックとを含むアセンブリを提案し、各ワイヤガイドは、センタリング軸線に沿って半径ｒ１の金属モノフィラメントを中心化するように構成されたセンタリング部分を含み、センタリング部分は、直円柱であり、その母線は、センタリング軸線と平行であり、その準線は、１．０５*ｒ１よりも大きいか又はそれに等しくかつ１．２*ｒ１よりも小さいか又はそれに等しい半径ｒ２の内接円を有する凸多角形である。
【００１２】
有利なことに、本発明によるアセンブリのワイヤガイドは、センタリング部分の特別な構成に起因して、移動中に摩耗によって剥離した材料によるワイヤガイドの目詰まりのリスクを防止しながら、従って、ワイヤガイド内で移動する金属モノフィラメントの破断のリスクを制限しながら金属モノフィラメントを誘導することを可能にする。
【００１３】
本発明によるアセンブリの各ワイヤガイドはまた、個々に又はあらゆる技術的に可能な組合せで取られる以下の特徴のうちの１又は２以上を含むことができる：
−上述の内接円は、センタリング軸線上に中心がある、及び／又は
−ｒ１は、０．０２ｍｍよりも大きいか又はそれに等しく、好ましくは０．０５ｍｍよりも大きいか又はそれに等しく、より好ましくは０．１２ｍｍよりも大きいか又はそれに等しく、更により好ましくは０．１４ｍｍよりも大きいか又はそれに等しい、及び／又は
−ｒ１は、０．２５ｍｍよりも小さいか又はそれに等しく、好ましくは０．２３ｍｍよりも小さいか又はそれに等しく、より好ましくは０．２１ｍｍよりも小さいか又はそれに等しい、及び／又は
−ｒ２は、１．１*ｒ１よりも大きいか又はそれに等しい、及び／又は
−ｒ２は、１．１５*ｒ１よりも小さいか又はそれに等しい、及び／又は
上述の準線は、センタリング軸線に関して回転対称性を有する、及び／又は
−上述の準線は、１０よりも少ないセグメントを有する多角形である、及び／又は
−上述の準線は、三角形、好ましくは二等辺三角形、より好ましくは正三角形である、及び／又は
−上述の準線は、四角形、好ましくは菱形、より好ましくは正方形である、及び／又は
−誘導部分は、金属モノフィラメントをセンタリング部分に向けて誘導するように構成される、及び／又は
−誘導部分の断面積は、誘導部分の上流から下流方向に減少する、及び／又は
−誘導部分は、センタリング軸線に関して回転対称性を有する、及び／又は
−誘導部分は、錐台を含む、及び／又は
−誘導部分は、異なる勾配を有する第１の錐台と第２の錐台を含み、第１の錐台のベースは、第２の錐台のベースと連通している、及び／又は
−誘導部分は、双曲漏斗である、及び／又は
−入口部分は、誘導部分と直接に連通する、及び／又は
−入口部分は、センタリング部分と直接に連通する、及び／又は
−供給チャネルは、ポリマー性シース被覆組成物をセンタリング部分の出口まで搬送するように構成される、及び／又は
−第１及び第２の供給チャネルは、ポリマー性シース被覆組成物をセンタリング部分の出口まで搬送するように構成され、第１の供給チャネル及び第２の供給チャネルは、センタリング部分のいずれかの側に配置される、及び／又は
−センタリング部分のセンタリング軸線は、同じ平面Ｐにあり、かつ互いに実質的に平行である。
【００１４】
本発明によるアセンブリのワイヤ−ガイドブロックはまた、個々に又はあらゆる技術的に可能な組合せで取られる以下の特徴のうちの１又は２以上を含むことができる：
−各ワイヤガイドのセンタリング部分は同一である、及び／又は
−各ワイヤガイドは、ポリマー性シース被覆組成物をセンタリング部分の出口まで搬送するように構成された供給チャネルを含み、ポリマー性シース被覆組成物供給チャネルは、それがセンタリング部分の出口で複数の金属モノフィラメントを集合的に被覆するように配置される、及び／又は
−各ワイヤガイドは、ポリマー性シース被覆組成物をセンタリング部分の出口まで搬送するように構成された第１及び第２の供給チャネルを含み、第１の供給チャネル及び第２の供給チャネルは、センタリング部分のいずれかの側に配置され、第１及び第２のポリマー組成物供給チャネルのうちの少なくとも一方は、それがセンタリング部分の出口で複数の金属モノフィラメントを集合的に被覆するように配置される、及び／又は
−各ワイヤガイドは、ポリマー性シース被覆組成物をセンタリング部分の出口まで搬送するように構成された第１及び第２の供給チャネルを含み、第１の供給チャネル及び第２の供給チャネルは、センタリング部分のいずれかの側に配置され、第１及び第２のポリマー組成物供給チャネルは、それらがセンタリング部分の出口で複数の金属モノフィラメントを集合的に被覆するように配置される、及び／又は
−第１の供給チャネルは、平面Ｐの一方の側にあり、第２のポリマー組成物供給チャネルは、平面Ｐの他方の側にある、及び／又は
−各センタリング軸線は、各他のセンタリング軸線から２．１*ｒ１よりも大きいか又はそれに等しい距離に位置し、各センタリング軸線は、少なくとも１つの他のセンタリング軸線から２．５*ｒ１よりも小さいか又はそれに等しい距離に位置する、及び／又は
−ワイヤ−ガイドブロックは、単体である、及び／又は
−ワイヤ−ガイドブロックは、金属、セラミック、又は複合材料から作られる。
【００１５】
本発明はまた、少なくとも、
−半径ｒ１の複数の金属モノフィラメントとワイヤ−ガイドブロックとを含む上記で定めたようなアセンブリを供給する段階、及び
−アセンブリのワイヤ−ガイドブロックの各ワイヤガイドを通して各金属モノフィラメントを中心化する段階、
を含む複数の金属モノフィラメントを中心化する方法に関する。
【００１６】
本発明はまた、上記で定めたようなセンタリング方法と次に複数の金属モノフィラメントのうちの各金属モノフィラメントをポリマー組成物で被覆する段階とを含む複数のシース被覆金属モノフィラメントを生成する方法に関する。好ましい実施形態では、被覆する段階は、複数の金属モノフィラメントをポリマーコーティングで集合的に被覆する段階である。
【００１７】
本発明はまた、上記で定めたような複数のシース被覆金属モノフィラメントを生成する方法の段階を含みかつ各金属モノフィラメントをポリマー組成物で被覆する段階の後に各シース被覆金属モノフィラメントをエラストマー母材に埋め込む段階を含む押出成形によって補強製品を生成する方法に関する。
【００１８】
本発明はまた、上記で定めたような押出成形によって補強製品を生成する方法の段階を含むタイヤを生成する方法に関する。
【００１９】
本発明はまた、半径ｒ１の複数の金属モノフィラメントを中心化するためのワイヤ−ガイドブロックの使用に関し、ワイヤ−ガイドブロックは、複数のワイヤガイドを含み、各ワイヤガイドは、センタリング軸線に沿って金属モノフィラメントのうちの１つを中心化するように構成されたセンタリング部分を含み、センタリング部分は、直円柱であり、その母線は、センタリング軸線と平行であり、その準線は、１．０５*ｒ１よりも大きいか又はそれに等しくかつ１．２*ｒ１よりも小さいか又はそれに等しい半径ｒ２の内接円を有する凸多角形である。
【００２０】
本発明の更に別の特徴及び利点は、図を参照して以下の説明を読解した上で明らかになるであろう。
【図面の簡単な説明】
【００２１】
【図１】本発明の第１の実施形態によるワイヤガイドの斜視図である。
【図２】本発明の第２の実施形態によるワイヤガイドの斜視図である。
【図３】本発明の第３の実施形態によるワイヤガイドの縦断面図である。
【図４】本発明の一実施形態によるワイヤ−ガイドブロックの横断面図である。
【図５】本発明の別の実施形態によるワイヤ−ガイドブロックの横断面図である。
【図６】本発明による金属モノフィラメントを中心化する方法の段階を示す図である。
【図７】本発明によるシース被覆金属モノフィラメントを生成する方法の段階を示す図である。
【図８】本発明により押出成形によって補強製品を生成する方法の段階を示す図である。
【図９】一例として試験したワイヤガイドの縦断面図である。
【図１０】一例として試験したワイヤガイドの縦断面図である。
【図１１】一例として試験したワイヤガイドの縦断面図である。
【図１２】一例として試験したワイヤガイドの縦断面図である。
【図１３】一例として試験したワイヤガイドの縦断面図である。
【発明を実施するための形態】
【００２２】
これらの図面の唯一の目的は、説明を例示することであり、それらは、あらゆる意味で本発明の範囲の制限を構成しないことに注意しなければならない。
【００２３】
異なる図では、類似の要素は、同一の参照符号を有する。
【００２４】
本発明の異なる実施形態は、同じく互いに矛盾しない。
【００２５】
図１は、半径ｒ１の金属モノフィラメントをセンタリング軸線Ａに沿って中心化するように構成されたセンタリング部分４を含むワイヤガイド２を示している。
【００２６】
センタリング部分４は、直円柱であり、その母線は、センタリング軸線Ａと平行であり、その準線は、１．０５*ｒ１よりも大きいか又はそれに等しくかつ１．２*ｒ１よりも小さいか又はそれに等しい半径ｒ２の内接円を有する凸多角形である。
【００２７】
直円柱は、母線として公知の平行直線から構成された３次元空間内の面を意味するように与えられ、この面は、準線として公知の閉じた線と母線に対して垂直ないずれかの平面とによって形成された交線を有する。従って、直円柱は、準線に対して垂直な母線を有する円柱である。
【００２８】
多角形は、閉じた折れ線を構成する平坦な幾何学的形状、すなわち、連続セグメントの循環系列を意味するように与えられる。凸多角形は単純であり、すなわち、２つの不連続の辺が出会わず、かつ２つの連続する辺は、それらの頂点の１つのみを共有する。これに加えて、凸多角形は、その対角線の全てが完全に多角形の内側にあるという特徴を有する。対角線は、多角形の頂点を対で接続する直線を意味するように与えられる。
【００２９】
凸多角形に内接する円は、凸多角形の辺の全てに対してタンジェンシャルである円を意味するように与えられる。
【００３０】
有利なことに、センタリング部分４の形状及び寸法は、金属モノフィラメントを誘導してその破断のリスクを制限する。
【００３１】
これに加えて、センタリング部分４は、金属モノフィラメントが移動する時に摩耗によって金属モノフィラメントから剥離することができる有意な量の材料を受け入れる可能性がある。金属モノフィラメントが移動する時に、剥離材料は、センタリング部分４の壁に沿って保持される可能性がある。これに代えて、金属モノフィラメントの移動に起因して、剥離材料は、センタリング部分４の外側に少なくとも部分的に引き出される可能性がある。両方の場合に、ワイヤガイド２のセンタリング部分４の形状及び寸法は、センタリング部分４の遮断及び金属モノフィラメントの破断を防止する。
【００３２】
センタリング部分４の形状及び寸法はまた、金属モノフィラメントがワイヤガイド２内で移動する時にセンタリング部分４内の金属モノフィラメントからの金属堆積物の蓄積を防止する。従って、金属モノフィラメントの通過が容易になる。
【００３３】
本発明のある一定の実施形態により、センタリング部分４の準線は、センタリング軸線Ａに関して回転対称性を有する。準線に内接する半径ｒ２の円は、センタリング軸線Ａ上に中心を置くことができる。有利なことに、センタリングの精度及び安定性が改善される。
【００３４】
本発明のある一定の実施形態により、センタリング部分４の準線は、１０よりも少ないセグメントを有する多角形である。準線は、図１に示すように四角形であり、好ましくは菱形、より好ましくは正方形とすることができる。これに代えて、準線は、図２に示すように三角形であり、好ましくは二等辺三角形、より好ましくは正三角形とすることができる。
【００３５】
有利なことに、金属モノフィラメントの破断のリスクは更に制限される。センタリング部分の準線が少ないセグメントを有するほど、準線によって囲まれる面積は、半径ｒ２の内接円と比較して、従って、半径ｒ１の金属モノフィラメントの断面と比較して大きい。従って、金属モノフィラメントが移動する時に金属モノフィラメントから剥離した材料を受け入れるのに利用可能なセンタリング部分４の内部容積は大きく、センタリング部分の目詰まりのリスクが低減する。
【００３６】
ある一定の実施形態により、ワイヤガイド２のセンタリング部分４は、０．０２ｍｍよりも大きいか又はそれに等しく、好ましくは０．０５ｍｍよりも大きいか又はそれに等しく、より好ましくは０．１２ｍｍよりも大きいか又はそれに等しく、更により好ましくは０．１４ｍｍよりも大きいか又はそれに等しい半径ｒ１の金属モノフィラメントが通過するように構成される。
【００３７】
ある一定の実施形態により、ｒ１は、０．２５ｍｍよりも小さいか又はそれに等しく、好ましくは０．２３ｍｍよりも小さいか又はそれに等しく、より好ましくは０．２１ｍｍよりも小さいか又はそれに等しい。
【００３８】
金属モノフィラメントは、鋼鉄コアと金属コーティング層を含む。
【００３９】
コアの鋼鉄は、０．１質量％と１．２質量％の間の炭素、最大で１１質量％のクロム、１質量％未満のマンガン、珪素、アルミニウム、ホウ素、コバルト、銅、モリブデン、ニッケル、ニオブ、チタン、タングステン、バナジウム、ジルコニウム、燐、硫黄、及び窒素である元素の各々を含む炭素鋼であり、その残余は、鉄と、生成からもたらされる回避不能な不純物とで構成される。鋼鉄は、パーライト、フェライト、オーステナイト、ベイナイト、又はマルテンサイトの微細構造、又はこれらの微細構造の混合からもたらされる微細構造を有することができる。
【００４０】
金属モノフィラメントは、１．０００ＭＰａと５，０００ＭＰａの間の機械強度を有する。そのような機械強度は、タイヤの分野で一般的に見られる鋼種、すなわち、ＮＴ（標準張力）、ＨＴ（高張力）、ＳＴ（超張力）、ＳＨＴ（超高張力）、ＵＴ（ウルトラ張力）、ＵＨＴ（ウルトラ高張力）、及びＭＴ（メガ張力）に対応し、高い機械強度の使用は、補強要素を埋め込むことが意図される母材の改善された補強、及びそのように補強された母材の重量の低減を可能にし、この低減は、鋼種が高いほど有意である。
【００４１】
金属コーティングは、亜鉛、銅、錫、コバルトから選択される金属、及びこれらの金属の合金を含む。これらの金属の合金の例は、黄銅及び青銅を含む。
【００４２】
ある一定の実施形態により、センタリング部分４の準線に内接する円は、１．１*ｒ１よりも大きいか又はそれに等しい及び／又は１．１５*ｒ１よりも小さいか又はそれに等しい半径ｒ２を有する。
【００４３】
図３に示すように、ワイヤガイド２は、金属モノフィラメントをセンタリング部分４に向けて誘導するように構成された誘導部分６を更に含むことができる。言い換えれば、金属モノフィラメントは、ワイヤガイド２内で移動する時に最初に誘導部分６を通過し、次にセンタリング部分４を通過する。
【００４４】
金属モノフィラメントの移動軸線に対して垂直な誘導部分６の断面積は、誘導部分６に沿って上流から下流に減少することができる。言い換えれば、誘導部分６は、金属モノフィラメントの進行方向に縮径する。
【００４５】
誘導部分６は、センタリング軸線Ａ又はそれと平行な軸線に関して回転対称性を有することができる。
【００４６】
誘導部分６の形状は、錐台とすることができ、又は第１の錐台のベースが第２の錐台のベースと連通する異なる勾配を有する第１の錐台と第２の錐台とを含むことができ、又は双曲漏斗であるとすることができる。
【００４７】
すなわち、図３に示すようにセンタリング軸線Ａを含有する平面に沿うワイヤガイド２の縦断面図を参照すると、誘導部分６は、センタリング軸線Ａからｒ２よりも大きいか又はそれに等しい距離だけ全ての点で分離された実線によって示されている。この実線は、センタリング軸線Ａに対して傾いたセグメントを含むことができる。この実線は、センタリング軸線Ａに対して傾き、互いに非ゼロの角度で接続したセグメント系列を含むことができる。この実線は、その少なくとも１つの部分上で非ゼロ曲率半径を有することができる。図３の縦断面図に示すワイヤガイドは、双曲漏斗の誘導部分、すなわち、非ゼロ曲率半径を有する実線によって表されている部分を含む。
【００４８】
ワイヤガイド２は、入口部分８を更に含むことができる。例えば、円筒形とすることができる入口部分８は、金属モノフィラメントがその移動方向に最初に通過するワイヤガイド２の部分である。
【００４９】
ワイヤガイド２が誘導部分６を含む場合に、入口部分８は、誘導部分６と直接に連通することができる。
【００５０】
ワイヤガイド２が誘導部分６を含まない場合に、入口部分は、センタリング部分４と直接に連通する。
【００５１】
ワイヤガイド２は、ポリマー性シース被覆組成物をセンタリング部分４の出口まで搬送するように構成された少なくとも１つの供給チャネル１０を含むことができる。有利なことに、センタリング部分４の出口では、金属モノフィラメントは、所与の位置でセンタリング部分４によって中心化されながらポリマー性シース被覆組成物で被覆される。
【００５２】
ワイヤガイド２は、ポリマー性シース被覆組成物をセンタリング部分４の出口まで搬送するように構成された第１及び第２の供給チャネル１０、１２を含むことができ、第１の供給チャネル１０及び第２の供給チャネル１２は、センタリング部分４のいずれかの側に配置される。従って、第１の供給チャネル１０は、ワイヤガイド２の第１の部品を通過し、第２の供給チャネル１２はワイヤガイド２の第２の部品を通過し、センタリング部分４は、この第１の部品とこの第２の部品の間に位置するワイヤガイド２の中間部品を通過する。有利なことに、金属モノフィラメントの周りのシースの厚みの制御が改善される。
【００５３】
図４は、複数のワイヤガイド２を含むワイヤ−ガイドブロック２０を示している。
【００５４】
各ワイヤガイド２は、半径ｒ１の金属モノフィラメントをセンタリング軸線Ａに沿って中心化するように構成されたセンタリング部分４を含む。
【００５５】
センタリング部分４のセンタリング軸線Ａは、同じ平面Ｐにあり、かつ互いに実質的に平行である。
【００５６】
ワイヤ−ガイドブロック２０は、すなわち、複数の金属モノフィラメントを中心化することを可能にし、そのためにそれは、それらを同じ平面Ｐ内で実質的に平行な複数のセンタリング軸線Ａに沿って移動させ、同時に各金属モノフィラメントの破断のリスクを制限する。
【００５７】
ワイヤ−ガイドブロック２０は、単体、言い換えれば、モノリシックとすることができる。
【００５８】
ワイヤ−ガイドブロック２０は、金属、セラミック、又は複合材料のような１又は２以上の材料で構成することができる。各金属モノフィラメントと直接に接触している材料、特に各ワイヤ−ガイドブロック２のセンタリング部分４を形成する材料は、特に硬度に関して、金属モノフィラメントを形成する材料のものよりも高い熱−機械的性能レベルを有することができる。
【００５９】
有利なことに、そのようなワイヤ−ガイドブロック２０は耐摩耗性を有する。そのような摩耗は、金属モノフィラメントの不揃いを引き起こし、ワイヤ−ガイドブロック２０の交換を必要とする場合がある。
【００６０】
各ワイヤガイド２のセンタリング部分４は、その形状及び／又は寸法において同一とすることができる。同様に、これらのセンタリング部分４の各々は、同じ距離だけ離間することができる。
【００６１】
ワイヤ−ガイドブロック２０の各ワイヤガイド２は、ポリマー性シース被覆組成物をセンタリング部分４の出口まで搬送するように構成された供給チャネル１０を含むことができる。ポリマー組成物を供給するためのチャネル１０は、センタリング部分４の出口で複数の金属モノフィラメントを集合的に被覆するように配置することができる。
【００６２】
ワイヤ−ガイドブロック２０の各ワイヤガイド２は、ポリマー性シース被覆組成物をセンタリング部分４の出口まで搬送するように構成された第１及び第２の供給チャネル１０、１２を含むことができ、第１の供給チャネル１０及び第２の供給チャネル１２は、センタリング部分４のいずれかの側に配置される。ポリマー組成物を供給するための第１及び第２のチャネル１０、１２のうちの少なくとも一方は、センタリング部分４の出口で複数の金属モノフィラメントを集合的に被覆するように図５に示すように配置することができる。
【００６３】
第１の供給チャネルは、平面Ｐの一方の側に存在することができ、ポリマー組成物を供給するための第２のチャネルは、平面Ｐの他方の側に存在することができる。言い換えれば、第１の供給チャネル１０はワイヤ−ガイドブロック２０の第１の部品を通過し、第２の供給チャネル１２はワイヤ−ガイドブロック２０の第２の部品を通過し、各センタリング部分４は、この第１の部品とこの第２の部品の間に位置するワイヤ−ガイドブロック２０の中間部品を通過する。有利なことに、各金属モノフィラメントの周りのシースの厚みの制御が改善される。
【００６４】
ある一定の実施形態により、ワイヤ−ガイドブロック２０の各ワイヤガイド２のセンタリング軸線Ａは、各他のワイヤガイド２のセンタリング軸線Ａから２．１*ｒ１よりも大きいか又はそれに等しく、かつ少なくとも１つの他のワイヤガイドのセンタリング軸線Ａから２．５*ｒ１よりも小さいか又はそれに等しい距離に位置する。一実施形態により、ワイヤ−ガイドブロック２０の各ワイヤガイド２のセンタリング軸線Ａの間隔は同一であり、かつ２．１２５*ｒ１に実質的に等しい。
【００６５】
本発明は、ワイヤ−ガイドブロック２０と、ワイヤ−ガイドブロック２０によって中心化されるのに適する半径ｒ１の複数の金属モノフィラメントとを含むアセンブリに関する。言うまでもなく、半径ｒ１の各金属モノフィラメントは、ワイヤ−ガイドブロック２０内で各他の金属モノフィラメントを中心化するのに適するワイヤガイド２とは異なるワイヤガイド２によって中心化されるのに適している。
【００６６】
そのようなアセンブリの利益は、それが、ポリマー組成物で集合的にシース被覆された複数の金属モノフィラメントを含む複合充填材ストリップを生成する方法の関連において複数の金属モノフィラメントの正確な誘導を可能にすることである。ポリマー組成物内の金属モノフィラメントの各々の位置決めは、可能な限り均一で工業的に再現可能な複合充填材ストリップが得られるように、複合充填材ストリップの縁部に対してだけではなく複合充填材ストリップの他の金属モノフィラメントに対しても正確に制御される。
【００６７】
本発明はまた、複数の金属モノフィラメントを中心化するための図６に示すような方法に関する。
【００６８】
本方法は、複数の金属モノフィラメントを供給する段階Ｓ２を含む。ある一定の実施形態により、供給段階Ｓ２中に供給される各金属モノフィラメントは、半径ｒ１のものである。各金属モノフィラメントは、例えば、最初にコイルの形態に巻かれた状態にあるとすることができる。供給段階Ｓ２中に、各金属モノフィラメントは、例えば、ウインチによって所与の向き及び所与の移動方向に引き出すことができる。
【００６９】
本方法はまた、ワイヤガイド２を通して各金属モノフィラメントを中心化する段階Ｓ４を含む。センタリング段階Ｓ４中に、各金属モノフィラメントは、ワイヤガイド２、特にそのセンタリング部分４を通過するように移動する。
【００７０】
有利なことに、本方法は、各金属モノフィラメントをセンタリング軸線Ａに沿って中心化することを可能にする。
【００７１】
本発明により、センタリング段階Ｓ４中に、複数の金属モノフィラメントは、ワイヤ−ガイドブロックを通して中心化される。各金属モノフィラメントは、同じ平面Ｐにあって互いに実質的に平行であるワイヤガイド２のセンタリング軸線Ａに沿って中心化される。
【００７２】
有利なことに、いくつかの金属モノフィラメントは、同じ平面Ｐに位置して互いに対して実質的に平行であるセンタリング軸線Ａに沿って中心化される。
【００７３】
本発明はまた、複数のシース被覆金属モノフィラメントを生成するための図７に示すような方法に関する。
【００７４】
この生成方法は、上述したセンタリング方法を含む。
【００７５】
この生成方法はまた、各金属モノフィラメントをポリマー組成物で被覆する段階Ｓ６を含む。各金属モノフィラメントは、ワイヤガイドのセンタリング部分を通過した後にポリマー組成物で被覆される。ポリマー組成物は、各金属モノフィラメントまで１又は２以上の供給チャネルを用いて搬送することができる。
【００７６】
一実施形態により、被覆段階Ｓ６中に、複数の金属モノフィラメントは、ポリマー組成物で集合的に被覆される。次に、複数のモノフィラメントとポリマー組成物とを含む複合充填材ストリップが得られる。
【００７７】
ポリマー組成物は、好ましくは熱可塑性ポリマー組成物である。好ましくは、ポリマー組成物は熱可塑性ポリマーを含む。一変形では、熱可塑性ポリマーは、脂肪族ポリアミド又は脂肪族コポリアミド、例えば、ナイロン６．６である。一変形では、熱可塑性ポリマーは、熱可塑性エラストマー、好ましくは不飽和のもの、例えば、不飽和スチレン熱可塑性エラストマーである。ポリマー組成物は、タイヤの分野に使用される組成物に通常使用される添加剤のうちの全て又は一部を含むことができる。そのような熱可塑性ポリマーの例は、特に、ＷＯ２０１０／１３６３８９、ＷＯ２０１０／１０５９７５、ＷＯ２０１１／０１２５２１、ＷＯ２０１１／０５１２０４、ＷＯ２０１２／０１６７５７、ＷＯ２０１２／０３８３４０、ＷＯ２０１２／０３８３４１、ＷＯ２０１２／０６９３４６、ＷＯ２０１２／１０４２７９、ＷＯ２０１２／１０４２８０、及びＷＯ２０１２／１０４２８１に説明されている。
【００７８】
本発明はまた、押出成形によって補強製品を生成するための図８に示すような方法に関する。
【００７９】
この生成方法は、いくつかのシース被覆金属モノフィラメントを生成する方法の段階を含む。
【００８０】
この生成方法はまた、ポリマー組成物で被覆された各金属モノフィラメントをエラストマー母材に埋め込む段階Ｓ８を含む。
【００８１】
例えば、各非シース被覆金属モノフィラメントが０．１６ｍｍに近い半径を有するそのような方法を用いて生成される層を考えてみる。センタリング段階Ｓ４の精度に起因して、各シース被覆金属モノフィラメントと層の自由面との間の距離は、埋め込み段階Ｓ８中に正確に制御され、かつ０．０９ｍｍの近くに保つことができる。これに加えて、２つの隣接するシース被覆金属モノフィラメント間の距離は、被覆段階Ｓ６中に正確に制御され、かつ０．０５ｍｍの近くに保つことができる。
【００８２】
本発明はまた、上述のように押出成形によって補強製品を生成する方法の段階を含むタイヤを生成する方法に関する。
【００８３】
本発明はまた、複数の金属モノフィラメントを中心化するための上述したワイヤ−ガイドブロックの使用に関する。
【実施例】
【００８４】
５つのワイヤガイドを生成して試験した。
【００８５】
図９に示す第１の対照ワイヤガイド１は、
−直径０．３６ｍｍの円形円筒センタリング部分３、
−その形状が第１の錐台と異なる勾配を有する第２の錐台とを含み、第１の錐台のベースが第２の錐台のベースと連通する誘導部分５、及び
−円形円筒入口部分７、
を含む。
【００８６】
図１０に示す第２のワイヤガイド１は、
−直径０．３６ｍｍの円形円筒センタリング部分３、及び
−センタリング部分と直接に連通し、センタリング部分よりも大きい直径を有し、従って、入口部分とセンタリング部分間の界面で正方形コーナを形成する円筒入口部分７、
を含む。
【００８７】
図１１に示す第３のワイヤガイド１は、
−直径０．３６ｍｍの円形円筒センタリング部分３、
−双曲漏斗の形状にある誘導部分５、及び
−円形円筒入口部分７、
を含む。
【００８８】
図１２に示す第４のワイヤガイド１は、
−直径０．３６ｍｍの円形円筒センタリング部分３、
−双曲漏斗の形状にある誘導部分５、及び
−円形円筒入口部分７、
を含む。第４のワイヤガイドの誘導部分の曲率半径は、第３のワイヤガイドの誘導部分のものよりも大きい。
【００８９】
第１、第２、第３、及び第４のワイヤガイド１のセンタリング部分は、本発明によるアセンブリの複数のワイヤガイドのセンタリング部分とは異なる。
【００９０】
図１３に示す本発明の一実施形態によるアセンブリのワイヤガイドのセンタリング部分に対応するセンタリング部分を有する第５のワイヤガイド２は、
−準線が凸多角形、ここでは半径０．１８ｍｍの内接円を有する四角形である辺０．３６ｍｍの正方形ベースを有する円筒センタリング部分４、
−双曲漏斗の形状にある誘導部分６、及び
−円形円筒入口部分８、
を含む。
【００９１】
これら５つのワイヤガイドは、押出シース被覆ダイにおいて試験された。半径０．１６ｍｍの金属モノフィラメントが、各ワイヤガイドを通過した。次に、各金属モノフィラメントを引き抜き、それをワイヤガイドを通して移動させた。これら試験の全ては、６０ｍ．ｍｉｎ-1の実質的に同一の移動速度を用いて実施された。各ワイヤガイドの出口では、中心化された金属モノフィラメントがシース被覆された。試験したワイヤガイドの全ては、有効な中心化を可能にした。
【００９２】
各ワイヤガイドを通って移動した金属モノフィラメントの長さが、破断の前に測定された。
【００９３】
円形センタリング部分を有するワイヤガイドのどれも、金属モノフィラメントの破断を回避することを可能にしなかった。
【００９４】
第１、第２、及び第３のワイヤガイドの場合に、金属モノフィラメントは、数１０メートルから数百メートルの後に破断した。第４のワイヤガイドの場合に、破断は４，０００メートルの後に発生した。
【００９５】
第５のワイヤガイドの場合に、３つの試験を実施した。これら３つの試験の各々において金属モノフィラメントの破断は回避された。移動は、３，０００メートルと１０，０００メートルを超えるものとの間で試験に依存して変わる距離の後に破断なしに意図的に停止された。
【００９６】
これらの結果は、センタリング機能を提供しながら金属モノフィラメント破断を防止する際の本発明によるアセンブリのワイヤガイドの有効性を明らかにしている。
【００９７】
一般的な発明的概念を制限することなく実施形態を参照して本発明を上記で説明した。
【００９８】
この出願に例示する異なる実施形態の精査に続いて多くの他の修正及び変形が当業者には明らかである。これらの実施形態は、一例として与えたものであり、専ら以下の特許請求の範囲によって定められる本発明の範囲を制限するように意図していない。
【００９９】
特許請求の範囲では、用語「含む」、「備えている」は、他の要素又は段階を除外せず、「１つの」は複数を除外しない。互いに依存する特許請求の範囲内で異なる特徴が提示されるという単純な事実は、これらの特徴の組合せを有利に使用することができないことを示すわけではない。最後に、特許請求の範囲に使用するいずれの数値参照符号も本発明の範囲を制限するように解釈してはならない。
【図１】
2021506624.tif 000003
【図２】
2021506624.tif 000004
【図３】
2021506624.tif 000005
【図４】
2021506624.tif 000006
【図５】
2021506624.tif 000007
【図６】
2021506624.tif 000008
【図７】
2021506624.tif 000009
【図８】
2021506624.tif 000010
【図９】
2021506624.tif 000011
【図１０】
2021506624.tif 000012
【図１１】
2021506624.tif 000013
【図１２】
2021506624.tif 000014
【図１３】
2021506624.tif 000015
【国際調査報告】
2021506624.tif 000016
2021506624.tif 000017
2021506624.tif 000018
2021506624.tif 000019